(57)【要約】【課題】  ナットの締付作業が簡単迅速で緩み止め効果が確実に発揮でき、管理が容易で使い勝手のよい座金付きナットを得る。【解決手段】  ナット１の締付座面１２にねじ孔１１より大径で外周側面が円錐台形状のテーパ面１３ａ付き環状突部１３を設ける。座金２の締付座面１２との対面側挿通孔２１周りに環状突部１３に合致嵌合する内周側面が円錐台形状のテーパ面２２ａ付き凹部２２を設け、環状突出部１３をねじ孔１１の中心線に対して若干偏芯させた。【選択図】図１
0003153129.tif 000002
【実用新案登録請求の範囲】
【請求項１】
ボルトに螺合するねじ孔を有するナットと、ボルト挿通孔を有する座金とからなり、ナットの締付座面にねじ孔より大径で外周側面が円錐台形状のテーパ面付き環状突部を設けると共に、座金の上記締付座面との対面側挿通孔周りに上記環状突部に合致嵌合する内周側面が円錐台形状のテーパ面付き凹部を設け、かつ、上記環状突出部をねじ孔の中心線に対して若干偏芯させたことを特徴とする座金付きナット。
【請求項２】
ボルトに螺合するねじ孔を有するナットと、ボルト挿通孔を有する座金とからなり、ナットの締付座面にねじ孔より大径で外周側面が円錐台形状のテーパ面付き環状突部を設けると共に、座金の上記締付座面との対面側挿通孔周りに上記環状突部に合致嵌合する内周側面が円錐台形状のテーパ面付き凹部を設け、かつ、上記環状突出部をねじ孔の中心線に対して若干偏芯させる一方、ナットの締付座面外周部に小径鍔部を突設すると共に、座金の締付座面側外周部を上記小径鍔部よりも大径に形成し、その大径部分の締付座面側外周部から小径鍔部よりも大径な大径筒状部を座金の軸芯方向外方に向かって突設し、かつ、大径筒状部内に小径鍔部を挿入した状態で大径筒状部の先端部を内方にかしめてそのかしめ部を小径鍔部に係合させ、ナットに対し座金を分離不能に保持したことを特徴とする座金付きナット。
【考案の詳細な説明】
【技術分野】
【０００１】  本考案は固定ボルトなどに用いられる緩み防止用の座金付きナットに関する。
【背景技術】
【０００２】  一般に、ナットの緩み防止手段としては上ナットと下ナットとからなるダブルナットが用いられ、下ナットを締め付けた後、上ナットを下ナットに押し付けるように締め付けて、下ナットが緩んだり外れたりしないように固定している。
【考案の開示】
【考案が解決しようとする課題】
【０００３】  ところが、上記したダブルナットによれば、下ナットと上ナットを個々に締め付ける作業が必要となるため、作業性が悪い問題があり、しかも、下ナットと上ナットを共に適性なトルクで締め付けなければ、緩み止め効果が十分に発揮されないといった問題を有していた。【０００４】  そこで、本考案は、ナットの締め付け作業が簡単迅速に行え、しかも、ナットの緩み止め効果が確実に発揮でき、その上、分離することがなく管理が容易で使い勝手のよい座金付きナットの提供を課題とする。
【課題を解決するための手段】
【０００５】  上記した課題を解決するために本願の請求項１記載の考案は、ボルトに螺合するねじ孔を有するナットと、ボルト挿通孔を有する座金とからなり、ナットの締付座面にねじ孔より大径で外周側面が円錐台形状のテーパ面付き環状突部を設けると共に、座金の上記締付座面との対面側挿通孔周りに上記環状突部に合致嵌合する内周側面が円錐台形状のテーパ面付き凹部を設け、かつ、上記環状突出部をねじ孔の中心線に対して若干偏芯させたことを特徴とする。【０００６】  また、本願の請求項２記載の考案は、ボルトに螺合するねじ孔を有するナットと、ボルト挿通孔を有する座金とからなり、ナットの締付座面にねじ孔より大径で外周側面が円錐台形状のテーパ面付き環状突部を設けると共に、座金の上記締付座面との対面側挿通孔周りに上記環状突部に合致嵌合する内周側面が円錐台形状のテーパ面付き凹部を設け、かつ、上記環状突出部をねじ孔の中心線に対して若干偏芯させる一方、ナットの締付座面外周部に小径鍔部を突設すると共に、座金の締付座面側外周部を上記小径鍔部よりも大径に形成し、その大径部分の締付座面側外周部から小径鍔部よりも大径な大径筒状部を座金の軸芯方向外方に向かって突設し、かつ、大径筒状部内に小径鍔部を挿入した状態で大径筒状部の先端部を内方にかしめてそのかしめ部を小径鍔部に係合させ、ナットに対し座金を分離不能に保持したことを特徴とする。
【考案の効果】
【０００７】  本考案の座金付きナットによれば、上記した構成によりナットを１度締め付けるだけでその締め付け作業が簡単迅速に行え、しかも、締付時には、ナットの偏芯テーパ面付き環状突部と座金のテーパ面付き凹部とのくさび作用によりナットの緩み止め効果が確実に発揮できる。【０００８】  また、ナットの締付座面外周部に小径鍔部を突設すると共に、座金の締付座面側外周部を上記小径鍔部よりも大径に形成し、その大径部分の締付座面側外周部から小径鍔部よりも大径な大径筒状部を座金の軸芯方向外方に向かって突設し、かつ、大径筒状部内に小径鍔部を挿入した状態で大径筒状部の先端部を内方にかしめてそのかしめ部を小径鍔部に係合させ、ナットに対し座金を分離不能に保持することにより、ナットと座金とのいずれか一方が紛失したりするといったことがなく、使用時にも常に一体化した状態のもとで使用でき、その管理が容易で使い勝手のよい座金付きナットが得られる。
【考案を実施するための最良の形態】
【０００９】  以下、本考案の実施の形態を図面に基づいて説明する。【００１０】  図１は、本考案に係る座付きナットを示し、ボルトに螺合するねじ孔１１を有するナット１と、ボルト挿通孔２１を有する座金２とからなる。図３及び図４に示すように、ナット１は、その締付座面１２にねじ孔１１より大径で内周側面が円錐台形状のテーパ面１３ａ付き環状突部１３が設けられている。テーパ面１３ａの中心線Ｂはねじ孔１１の中心線Ａに対してＸだけ若干偏芯している。また、ナット１の締付座面１２外周部に小径鍔部１４が突設されている。【００１１】  図５及び図６に示すように、座金２は、上記締付座面１２との対面側ボルト挿通孔２１周りに上記凹部１３に合致嵌合する内周側面が円錐台形状のテーパ面２２ａ付き凹部２２が設けられている。ここでテーパ面２２ａの中心線はボルト挿通孔の中心線と同軸に形成されている。また、座金２の上記締付座面１２との対面側外周部は上記小径鍔部１４よりも大径に形成され、かつ、その大径部分から小径鍔部１４よりも大径な大径筒状部２３が座金２の軸芯方向外方に向かって突設されている。【００１２】  そして、図１に示すように座金２の大径筒状部２３内にナット１の小径鍔部１４を挿通し、その状態で大径筒状部２３の先端部を内方にかしめ加工してそのかしめ部２５を小径鍔部２３に係合させ、これによりナット１に対し座金２を分離不能に保持して一体状に組み付けている。【００１３】  次に以上のように構成した座金付きナットの作用について説明する。【００１４】  図２に示すように被締結物３，４に貫挿したボルト５のねじ部５１に座金付きナット１を螺合して締め付ける。この締め付けにおいて、最初はナット１と座金２は一体化した状態でボルト５にねじ込まれるが、座金２が被締結物３に当接して回転が阻止されると、ナット１のみが回転することになる。このとき、座金２の凹部２２に嵌入したナット１の環状突部１３のテーパ面１３ａの中心線Ｂがねじ孔１１、凹部２２のテーパ面２２ａ及びボルト挿通孔２１の軸線Ａに対してＸだけ偏芯しているので、テーパ面１３ａとテーパ面２２ａとのくさび作用によりねじ部１１に軸線Ａに対し直角方向（図２おいてＹ方向）の押圧力が作用し、この押圧力によりナット１の緩み止め作用が発生する。ここで、この押圧力はナット１の座面１２が座金２に密着するまで次第に増大して確実な緩み止め効果を発揮することになる。【００１５】  以上のように、本考案の座金付きナットによれば、ナット１を１度締め付けるだけでよいので、その締め付け作業が簡単迅速に行え、しかも、締付時には、ナット１の偏芯テーパ面１３ａ付き環状突部１３と座金２のテーパ面２２ａ付き凹部２２とのくさび作用によりナット１の緩み止め効果が確実に発揮できる。さらに、座金２の大径筒状部２３の先端部をナット１の小径鍔部２３にかしめ止めして、ナット１に対し座金２を分離不能に保持しているので、ナット１と座金２とのいずれか一方が紛失したりするといったことがなく、使用時にも常に一体化した状態のもとで使用でき、その管理が容易で使い勝手のよい座金付きナットが得られる。【００１６】  上記した実施の形態では、座金２の大径筒状部２３の先端部をナット１の小径鍔部２３��かしめ止めして、ナット１に対し座金２を分離不能に保持するように構成したけれども、図７に示すようにナット１と座金２を一体化せず、単にナット１の偏芯テーパ面１３ａ付き環状突部１３と座金２のテーパ面２２ａ付き凹部２２とのくさび作用によりナット１の緩み止めを行うだけの構成としてもよい。なお、図７に示すナット１及び座金２は、上記した実施の形態における座金２の大径筒状部２３、かしめ部２４及びナット１の小径鍔部２３を除いて共通の形状を呈しているので、同一の符号を付しその説明については省略する。【００１７】  斯く構成した場合にも上記した実施の形態の場合と同様にナット１の偏芯テーパ面１３ａ付き環状突部１３と座金２のテーパ面２２ａ付き凹部２２とのくさび作用によりナット１の緩み止め効果が確実に発揮できる。
【図面の簡単な説明】
【００１８】
【図１】  本考案に係る座金付きナットの縦断面図である。
【図２】  同使用状態の説明図である。
【図３】  同ナットの縦断面図である。
【図４】  同ナットの底面図である。
【図５】  同座金の縦断面図である。
【図６】  同座金の平面図である。
【図７】  別の座金付きナットの縦断面図である。
【符号の説明】
【００１９】１          ナット
２          座金
１１        ねじ孔
１２        締付座面
１３        環状突部
１３ａ      テーパ面
１４        小径鍔部
２１        ボルト挿通孔
２２        凹部
２２ａ      テーパ面
２３        大径筒状部
２４        かしめ部
【図１】
0003153129.tif 000003
【図２】
0003153129.tif 000004
【図３】
0003153129.tif 000005
【図４】
0003153129.tif 000006
【図５】
0003153129.tif 000007
【図６】
0003153129.tif 000008
【図７】
0003153129.tif 000009